(57)【要約】      （修正有）【課題】肌身離さず携帯したい宝石などの収納物を外部から視認可能なペンダント式ケースを提供する。【解決手段】第一の保持部を有する第一の保持体１０、両者を開閉自在に連結している連結部１４および吊下げ部材１６を具備するペンダント式ケース１において、第一の保持体および第二の保持体は内部を視認し得るように網目を有し、第一の保持体は連結部に対向する位置に設けられた２つの第一のリング状部分１８とこれらの間に設けられた凹部を備え、第二の保持体は連結部に対向する位置に設けられかつ凹部に係合し得る凸部を有する第二のリング状部分２４を備え、第一の保持体と第二の保持体とが閉じた状態において、２つの第二のリング状部分と第一のリング状部分とが重なって吊下げ部材を通す単一の吊下げ孔を形成しかつ凸部が凹部に係合する構成とする。【選択図】図１
0003118422.tif 000002
【実用新案登録請求の範囲】
【請求項１】
第一の保持部を有する第一の保持体と、第二の保持部を有する第二の保持体と、前記第一の保持体および前記第二の保持体を開閉自在に連結している連結部と、吊下げ部材と、を具備するペンダント式ケースであって、
前記第一の保持体および前記第二の保持体は、前記ペンダント式ケースの外部から内部を視認し得るように網目を有し、
前記第一の保持体は、前記連結部に対向する位置に設けられた２つの第一のリング状部分と、前記２つの第一のリング状部分の間に設けられた凹部と、を備え、
前記第二の保持体は、前記連結部に対向する位置に設けられかつ前記凹部に係合し得る凸部を有する第二のリング状部分を備え、
前記第一の保持体と前記第二の保持体とが閉じた状態において、前記２つの第二のリング状部分と前記第一のリング状部分とが重なって前記吊下げ部材を通す単一の吊下げ孔を形成し、かつ前記凸部が前記凹部に係合する構成を有すること、
を特徴とするペンダント式ケース。
【請求項２】
前記網目は、花模様を形成している、請求項１記載のペンダント式ケース。
【請求項３】
前記網目は、最大径４ｍｍ以下の開口部で構成されている、請求項１または２記載のペンダント式ケース。
【請求項４】
前記連結部は、前記第一の保持体の端部に設けられた軸受け孔と、前記第二の保持体の端部に設けられ、かつ前記軸受け部に回転自在に嵌合された軸と、で構成されている、請求項１〜３のいずれかに記載のペンダント式ケース。
【請求項５】
前記連結部は、蝶番で構成されている、請求項１〜３のいずれかに記載のペンダント式ケース。
【請求項６】
前記第一の保持部が前記第二の保持部よりも深い、請求項１〜５のいずれかに記載のペンダント式ケース。
【考案の詳細な説明】
【技術分野】
【０００１】
本考案は、宝石や乳幼児の歯などの収納物を収納するペンダント式ケースであって、外部から前記収納物を視認可能な美観に優れるペンダント式ケースに関する。
【背景技術】
【０００２】
従来から、大切なものを肌身離さず持っておくことを可能にするものとして、ネックレスなどにつないで写真を収納することのできるロケットや、薬や各種物品を収納することのできるペンダントトップなどがある。また、さらに付加価値を出すために、様々な機能を有するペンダントが提案されている。
【０００３】
例えば、実開平３−３７６２５号公報には、開閉キャップを備えた小ケース内に薬容器を出し入れ自在に収納する一方、エンドレスに形成した吊下紐の両側を上記開閉キャップ、並びに、小ケースの両側に穿設した各穴を通して小ケース内に引出し自在に挿入し、この挿入した吊下紐の下端部を上記薬容器の底面に掛渡したことを特徴とするペンダント式薬入れが開示されている。
【０００４】
また、実公平７−９７６号公報には、装着片１を連結しうる係支部11を備えたケース21にヒンジ部13で開閉自在のケース状の蓋２2を設け、該ケース２1内に写真、ラベルなどのシート14を内装し、該シート14裏側でケース２1を内面との間に音声信号としてアナログ信号をデジタル信号として入力した音声データ用のＩＣメモリ素子と、該ＩＣメモリ素子のメモリで音声変換する音声合成部とを含み、電源とアンプおよびスピーカとスイッチ機構９とからなる音声制御回路を備えたプリント基板12を介在配備すると共に、前記蓋22の開閉によって起動するようにスイッチ機構９をケース２1又は蓋２2の内表面に露呈して設けたことを特徴とするペンダントが開示されている。
【０００５】
しかしながら、上記実開平３−３７６２５号公報記載のペンダント式薬入れは、必要とする薬を体裁良く携帯することを目的とするものであるにすぎず、内部に収納される薬を外部から視認することはできない。また、当該ペンダント式薬入れは、実用性には富むが、装身や装飾の用途にはなじまない。
【０００６】
また、上記実公平７−９７６号公報記載のペンダントは、装身のほかに名言やメロディを音声として再現化させて視覚と聴覚とに訴え趣味感のある商品価値の高いペンダントを構成簡単で安価に提供することを目的として提供されているものであるが、上記ペンダントも、外部から内部の収納物を視認することはできない。
【考案の開示】
【考案が解決しようとする課題】
【０００７】
そこで、本考案は、肌身離さず携帯していたい宝石などの収納物を収納するペンダント式ケースであって、その内部に収納されている前記収納物を外部から視認可能なペンダント式ケースを提供することを目的とする。
【０００８】
また、上記宝石の他にも、例えば乳幼児の歯などの一般には装身具や装飾品として用いられないものであっても、乳児の成長の記念として肌身離さず携帯していたいものもある。本考案は、このような装身具や装飾品として用いられない収納物であっても、当該収納物を収納した際には美観に優れるペンダント式ケースを提供することを目的とする。
【課題を解決するための手段】
【０００９】
上記課題を解決すべく、本考案は、
第一の保持部を有する第一の保持体と、第二の保持部を有する第二の保持体と、前記第一の保持体および前記第二の保持体とを開閉自在に連結している連結部と、吊下げ部材と、を具備するペンダント式ケースであって、
前記第一の保持体および前記第二の保持体は、前記ペンダント式ケースの外部から内部を視認し得るように網目を有し、
前記第一の保持体は、前記連結部に対向する位置に設けられた２つの第一のリング状部分と、前記２つの第一のリング状部分の間に設けられた凹部と、を備え、
前記第二の保持体は、前記連結部に対向する位置に設けられかつ前記凹部に係合し得る凸部を有する第二のリング状部分を備え、
前記第一の保持体と前記第二の保持体とが閉じた状態において、前記２つの第二のリング状部分と前記第一のリング状部分とが重なって前記吊下げ部材を通す単一の吊下げ孔を形成し、かつ前記凸部が前記凹部に係合する構成を有すること、
を特徴とするペンダント式ケースを提供する。
【００１０】
上記のような構成によれば、本考案のペンダント式ケースに宝石や乳幼児の歯などの収納物を収納した場合に、その内部に収納されている前記収納物を外部から視認可能であり、かつ、乳幼児の歯などの一般には装身具や装飾品として用いられない収納物であっても、優れた美観を実現することができるという効果を奏する。
【００１１】
また、上記本考案のペンダント式ケースにおいては、前記網目が花模様を形成しているのが好ましい。
このような構成によれば、さらに本考案のペンダント式ケースの美観をより優れたものにすることができる。
【００１２】
また、上記網目は、最大径４ｍｍ以下の開口部で構成されているのが好ましい。
通常、乳幼児の歯（乳歯）は概ね４ｍｍ程度の最大径を有しているため、４ｍｍ程度以下の開口部で構成されていれば、特に上記収納物が乳幼児の歯の場合に、本考案のペンダント式ケースから、当該収納物が落下するのをより確実に防止することができる。
【００１３】
上記本考案のペンダント式ケースにおいて、前記連結部は、前記第一の保持体の端部に設けられた軸受け孔と、前記第二の保持体の端部に設けられ、かつ前記軸受け部に回転自在に嵌合した軸と、で構成されているのが好ましい。
【００１４】
このような構成によれば、吊下げ部材を除き、第一の保持体および第二の保持体の２つの部材のみで本考案のペンダント式ケースを構成することができ、その製造がより容易になるという効果を奏する。ただし、本考案のペンダント式ケースにおける連結部は、上記構成に限定されるものではなく、例えば蝶番で構成されていてもよい。
【考案の効果】
【００１５】
本考案によれば、肌身離さず携帯していたい宝石などの収納物を収納するペンダント式ケースであって、その内部に収納されている前記収納物を外部から視認可能なペンダント式ケースを提供することができる。また、本考案によれば、一般には装身具や装飾品として用いられない乳幼児の歯などの収納物であっても、当該収納物を収納した際には美観に優れるペンダント式ケースを提供することができる。
【考案を実施するための最良の形態】
【００１６】
以下、図面を参照しながら本考案の好適な実施の形態について説明する。なお、以下の説明では、同一または相当部分には同一符号を付し、重複する説明は省略することもある。
【００１７】
図１は、本考案のペンダント式ケースの好適な実施の形態を示す正面図であり、図２は、図１に示す本実施の形態のペンダント式ケースの背面図である。また、図３は、図１における第一の保持体１０を示す正面図であり、図４は、図２における第二の保持体１２を示す正面図である。
【００１８】
さらに、図５は、図１における矢印Ｘの方向からみた場合の本実施の形態のペンダント式ケース１の側面図であり、図６は、図５に示す本実施の形態のペンダント式ケース１が開いた状態を示す図であり、図７は、図１および２におけるＹ−Ｙ線断面を示す図である。
【００１９】
図１に示すように、本実施の形態のペンダント式ケース１は、第一の保持部１０ｂ（図７参照）を有する第一の保持体１０と、第二の保持部１２ｂ（図７参照）を有する第二の保持体１２と、第一の保持体１０および第二の保持体１２を図６における矢印Ｚの方向に開閉自在に連結している連結部１４と、吊下げ部材１６と、で構成されている。
【００２０】
また、第一の保持体１０および第二の保持体１２は、図１、３および４に示すように、ペンダント式ケース１の外部から内部を視認し得るように、それぞれ網目１０ａおよび１２ａを有する。
【００２１】
そして、第一の保持体１０は、連結部１４に対向する位置（即ち、図１および３における第一の保持体１０において連結部１４が設けられている端部とは反対側の端部）に設けられた２つの第一のリング状部分１８と、２つの第一のリング状部分１８の間に設けられた凹部２０（図７参照）と、を備えている。
【００２２】
一方、第二の保持体１２は、連結部１４に対向する位置（即ち、図２および４における第二の保持体１２において連結部１４が設けられている端部とは反対側の端部）に設けられかつ上記凹部２０に係合し得る凸部２２（図７参照）を有する第二のリング状部分２４を備えている。
【００２３】
以上のような構成を有することによって、本実施の形態のペンダント式ケース１は、第一の保持体１０と第二の保持体１２とが閉じた状態において、図１および２に示すように、２つの第二のリング状部分１８と第一のリング状部分２４とが重なって吊下げ部材１６を通す単一の吊下げ孔２６（図５および７参照）を形成し、かつ上記凸部２２が上記凹部２０に係合（ロック）することができる。
【００２４】
したがって、本実施の形態のペンダント式ケース１の内部（すなわち、図７に示す第一の保持部１０ｂと第二の保持部１２ｂとで形成される空間）に収納物を保持した場合には、吊下げ孔２６に吊下げ部１６を通すことによって第一の保持体１０と第二の保持体１２とが開くことを防止することができるとともに、上記凸部２２と上記凹部２０との係合によっても第一の保持体１０と第二の保持体１２とが開くことを防止することができる。
【００２５】
そのため、吊下げ部材１６を吊下げ孔２６から取り外した場合でも、第一の保持体１０と第二の保持体１２とが閉じているため、収納物がペンダント式ケース１から落下することをより確実に防止することができる。
【００２６】
本実施の形態のペンダント式ケース１においては、第一の保持体１０の網目１０ａおよび第二の保持体１２の網目１２ａが、それぞれクローバーの模様を形成している。これにより、本実施の形態のペンダント式ケース１は美観に優れた構成を実現している。もっとも、本考案における上記網目１０ａおよび１２ａが形成する模様はかかるクローバーに限定されるわけではないが、美観をより確実に優れたものとするためには、クローバーなどの花の模様を形成しているのが好ましい。
【００２７】
また、本実施の形態において、上記網目１０ａおよび１２ａの開口部の大きさは、ペンダント式ケース１の外部から内部を視認できる程度の大きさであれば特に限定されるものではないが、ペンダント式ケース１が閉じた状態において図７に示す第一の保持部１０ｂと第二の保持部１２ｂとで形成される空間に保持される収納物が、外部に落下しない程度の大きさであるのが好ましい。
【００２８】
例えば、上記網目１０ａおよび１２ａの開口部はそれぞれ最大径４ｍｍ以下で構成されているのが好ましい。これは、通常、真珠などの宝石や乳幼児の歯（乳歯）などの収納物は概ね４ｍｍ程度の最大径を有しているため、上記網目１０ａおよび１２ａが４ｍｍ程度以下の開口部で構成されていれば、これらのような収納物がペンダント式ケース１から落下するのをより確実に防止することができるからである。
【００２９】
また、本実施の形態のペンダント式ケース１における連結部１４は、第一の保持体１０の一方の端部（即ち、図１および３における第一の保持体１０において第一のリング状部分１８が設けられている端部とは反対側の端部）に設けられた軸受け孔２８（特に図１〜３参照）と、第二の保持体１２の一方の端部（即ち、図２および４における第二の保持体１２において第二のリング状部分２４が設けられている端部とは反対側の端部）に設けられ、かつ軸受け孔２８に回転自在に係合された軸３０（特に図１および２参照）と、で構成されているのが好ましい。
【００３０】
このような構成によれば、吊下部材１６を除き、第一の保持体１０および第二の保持体１２の２つの部材のみで本実施の形態のペンダント式ケース１を構成することができ、製造がより容易になるという効果を奏する。ただし、軸受け孔２８は貫通孔であっても貫通していない孔（穴）であってもよい。また、上記連結部１４は、本実施の形態のものに限定されるものではなく、例えば蝶番で構成されていてもよい。
【００３１】
また、本実施の形態における上記軸３０は、第一の保持体１０および第二の保持体１２が開閉する矢印Ｚで示される方向（図６参照）を含む面（すなわち、図１および２におけるＹ−Ｙ線断面）に対して、略垂直に延びているのが好ましい。このような構成によれば、本実施の形態のペンダント式ケース１の使用者にとって、第一の保持体１０および第二の保持体１２の開閉をよりスムースに行うことができ好ましい。
【００３２】
さらに、本実施の形態のペンダント式ケース１においては、第一の保持体１０が有する第一の保持部１０ｂの深さＤ1と、第二の保持体１２が有する第二の保持部１０ｂの深さＤ2とが、関係式：Ｄ1＞Ｄ2を満たすのが好ましい。かかる関係式を満たすことによって、第二の保持体１２のほうが第一の保持体１０に比べて偏平となり易く、本実施の形態のペンダント式ケース１を吊り下げ部材１６を用いて首からかけた場合に、図６および７に示すように、第二の保持体１２の側（すなわちＰ側）に使用者の胸部が位置し、第一の保持体１２がその反対側（すなわちＱ側）に位置し易くなる。
【００３３】
このように、ペンダント式ケース１の第二の保持体１２の側が使用者の胸部に面し、第一の保持体１２がその反対側を向くと、ペンダント式ケース１はより安定して使用者の首から吊り下げられて保持されることになり、前方、すなわちＱ側において、第一の保持体１０を開閉し、収納物の出し入れをより容易に行うことが可能となる。したがって、より安定性を向上させるためには、第二の保持体１２が使用者の胸部に面する部分は、できるだけ偏平であることが好ましく、特に平面状部分を有しているのが好ましい。
【００３４】
以上、本考案の好適な実施の形態について説明したが、本考案のペンダント式ケースにおける吊下げ部材は、本考案のペンダント式ケースをより確実に吊り下げることができるものであれば特に限定はなく、例えばチェーンでも紐でも何でもよい。チェーンは、銀や金などを含む種々の金属で作製することができる。その作製方法としては従来公知の方法を採用することができ、また、市販のものを使用してもよい。
【００３５】
また、本考案のペンダント式ケースは、例えば樹脂、銀や金などの金属など、種々の材料で作製することができる。樹脂で作製する場合には、従来公知の成形方法を用いればよく、金属で作製する場合には、例えばワックスを削って本考案のペンダント式ケースの型を形成して鋳造を行う従来公知の鋳造方法を用いればよい。
【００３６】
美観をより優れたものとするためには、本考案のペンダント式ケースは金属で作製するのが好ましく、さらには、例えばいぶし処理、鏡面仕上げ処理、つや消し処理またはロジウムメッキ処理などを行ってもよい。なかでも、鏡面仕上げ処理を行うと、より美しいペンダント式ケースを得ることができる。
また、吊下げ部材、第一の保持体および第二の保持体を含め、ペンダント式ケースの全ての構成部材を同じ材料で作製することも可能である。
【産業上の利用可能性】
【００３７】
本考案によれば、肌身離さず携帯していたい宝石などの収納物を収納するペンダント式ケースであって、その内部に収納されている前記収納物を外部から視認可能なペンダント式ケースを提供することができる。また、本考案によれば、一般には装身具や装飾品として用いられない乳幼児の歯などの収納物であっても、当該収納物を収納した際には美観に優れるペンダント式ケースを提供することができる。
【００３８】
したがって、本考案に係るペンダント式ケースは、宝石や貴金属を取り扱う販売店だけでなく、歯科医院などにおいても販売可能であり、より広い分野での取り扱いが期待される。
【図面の簡単な説明】
【００３９】
【図１】本考案のペンダント式ケースの好適な実施の形態を示す正面図である。
【図２】図１に示す本実施の形態のペンダント式ケースの背面図である。
【図３】図１における第一の保持体１０のみを示す正面図である。
【図４】図２における第二の保持体１２のみを示す正面図である。
【図５】図１における矢印Ｘの方向からみた場合のペンダント式ケースの側面図である。
【図６】図５に示す本実施の形態のペンダント式ケースが開いた状態を示す図である。
【図７】図１及び２におけるＹ−Ｙ線断面を示す図である。
【符号の説明】
【００４０】
１・・・ペンダント式ケース、１０・・・第一の保持体、１０ａ・・・網目、１０ｂ・・・第一の保持部、１２・・・第二の保持体、１２ａ・・・網目、１２ｂ・・・第二の保持部、１４・・・連結部、１６・・・吊下げ部材、１８・・・第一のリング状部分、２０・・・凹部、２２・・・凸部、２４・・・第二のリング状部分、２６・・・吊下げ孔、２８・・・軸受け孔、３０・・・軸
【図１】
0003118422.tif 000003
【図２】
0003118422.tif 000004
【図３】
0003118422.tif 000005
【図４】
0003118422.tif 000006
【図５】
0003118422.tif 000007
【図６】
0003118422.tif 000008
【図７】
0003118422.tif 000009